(57)【要約】      （修正有）【課題】電源をオン/オフするのが便利で、駆動装置の正常動作を保証し、安全性を向上できるカーテンの昇降を駆動するための駆動装置のトラベルヘッドを提供する。【解決手段】駆動装置のトラベルヘッドは、本体１を備え、上記本体には回路基板が設置され、上記回路基板には電源スイッチ３が取り付けられ、上記電源スイッチは本体の外に露出されるように設置されている。トラベルヘッドに電源スイッチを設置するため、電源をオン/オフするのが便利である。トラベルヘッドが製造された後、チューブ状の駆動ユニットと組み立てられて倉庫に保管されたとき、電力損失を防ぐために電源スイッチをオフにすることができる。このため、装着後、電源をオンにする場合に、駆動装置をデバッグするのに十分な電力を有するため、駆動装置の正常動作を保証することができる。【選択図】図１
0003223336.tif 000002
【実用新案登録請求の範囲】
【請求項１】
カーテンの昇降を駆動するためのトラベルヘッドであって、  
本体を備え、前記本体には回路基板が設置され、前記回路基板には電源スイッチが取り付けられ、前記電源スイッチは本体の外に露出されるように設置されていることを特徴とするカーテンの昇降を駆動するためのトラベルヘッド。
【請求項２】
前記本体の中央部には、カーテン取付部材を連結するための連結部が挿入されており、前記回路基板には、前記連結部が貫通する貫通孔が設けられていることを特徴とする請求項１に記載のカーテンの昇降を駆動するためのトラベルヘッド。
【請求項３】
前記連結部には連結溝が形成されていることを特徴とする請求項２に記載のカーテンの昇降を駆動するためのトラベルヘッド。
【請求項４】
前記本体には連結部を係止するためのカバーが設けられ、前記カバーには前記連結溝と連通する中央孔が設けられていることを特徴とする請求項3に記載のカーテンの昇降を駆動するためのトラベルヘッド。
【請求項５】
前記回路基板にアンテナが配置され、前記アンテナは前記本体に内蔵されていることを特徴とする請求項４に記載のカーテンの昇降を駆動するためのトラベルヘッド。
【請求項６】
前記回路基板にはさらに、表示灯、設定キー、充電インターフェースおよびケーブルインターフェースが設置されていることを特徴とする請求項４に記載のカーテンの昇降を駆動するためのトラベルヘッド。
【考案の詳細な説明】
【技術分野】
【０００１】
本実用新案は、カーテン付属品の技術分野に関し、特に、カーテンの昇降を駆動するためのトラベルヘッドに関する。
【背景技術】
【０００２】
一般的には、伝統的なカーテンは手動で開閉するので、面倒である。現在では、ますます多くのカーテンが電気駆動になる傾向があり、リモコンで信号を送信してカーテンの開閉を制御するようにする電気駆動のカーテンは、便利で省力である。一般的には、ローラーブラインドは、回転チューブには、回転チューブの回転を駆動するための駆動装置を装着することにより、カーテンの開閉が実現された。当該駆動装置は、回転チューブ内に管状に挿入される。当該駆動装置はチューブ状の駆動ユニットと当該チューブ状の駆動ユニットに接続されたトラベルヘッドとを含み、トラベルヘッドは回転チューブの端部に露出してカーテン取り付け部材を接続することにより、カーテンの吊り装着が便利になる。チューブ状の駆動ユニットはモータと、減速機構と、パワーパッケージと制御ユニットを具備し、トラベルヘッド内に回路基板を有し、回路基板と制御ユニットはケーブルで接続され、パワーパッケージとモータは制御ユニットと電気的に接続され、減速機構はモータと接続されている。一般的には、製造装置を製造した後、まず倉庫に保管し、パワーパックと制御ユニットがすべて起動した状態にあり、保管中に電力を消費するため、駆動ユニットの販売と装着後、電源が切れてしまって、正常な動作ができない問題がある。また、潜在的な安全上の恐れもあり、どのように上記の恐れを回避するとともに駆動装置の電力を確保することは、現在解決すべき緊急の問題である。
【考案の概要】
【考案が解決しようとする課題】
【０００３】
上記の従来技術の現状を鑑みて本実用新案が解決しようとする技術的課題は、電力を節約し、且つ安全性を改善することができるカーテンの昇降を駆動するためのトラベルヘッドを提供することである。
【課題を解決するための手段】
【０００４】
本実用新案が前記技術課題を解決するために、下記技術案を採用する。即ち、カーテンの昇降を駆動するための駆動装置のトラベルヘッドは、本体を備え、前記本体には回路基板が設置され、前記回路基板には電源スイッチが取り付けられ、前記電源スイッチは本体の外に露出されるように設置されていることを特徴とする。
【０００５】
また、前記本体の中央部には、カーテン取付部材を連結するための連結部が挿入されており、回路基板には、前記連結部が貫通する貫通孔が設けられていることが望ましい。
また、前記連結部には連結溝が形成されていることが望ましい。
また、前記本体には連結部を係止するためのカバーが設けられ、前記カバーには前記連結溝と連通する中央孔が設けられていることが望ましい。
また、前記回路基板にアンテナが配置され、前記アンテナは本体に内蔵されていることが望ましい。
また、前記回路基板にはさらに、表示灯、設定キー、充電インターフェースおよびケーブルインターフェースが設置されていることが望ましい。
【考案の効果】
【０００６】
従来技術と比較して、本実用新案の利点は以下の通りである。本実用新案は、トラベルヘッドに電源スイッチを設置することにより、人々が電源をオン/オフするのに便利であり、トラベルヘッドが製造された後にチューブ状の駆動ユニットと組み立てられて倉庫に保管されたとき、電力損失を防ぐために電源スイッチをオフにすることができ、したがって、装着後、電源をオンする場合に、駆動装置をデバッグするのに十分な電力を有するので、駆動装置の正常動作を保証することができ、また、電源をオフする場合に、輸送時、電力が爆発する危険性が少なくなり、安全性が向上することを実現できる。
【図面の簡単な説明】
【０００７】
図１は、本実用新案の分解図である。
図２は、本実用新案の構造の概略図である。
図３は、本発明の装着の概略図である。
【考案を実施するための形態】
【０００８】
図１−図３が示しているように、カーテンの昇降を駆動するための駆動装置のトラベルヘッドは、本体１を備え、前記本体１には回路基板２が設置され、前記回路基板２には電源スイッチ３が取り付けられ、前記電源スイッチ３は本体１の外に露出されるように設置され、駆動装置でのパワーパッケージのオン/オフを制御する。
【０００９】
本実用新案は、トラベルヘッドに電源スイッチを設置することにより、人々が電源をオン/オフするのに便利であり、トラベルヘッドが製造された後にチューブ状の駆動ユニットと組み立てられて倉庫に保管されたとき、電力損失を防ぐために電源スイッチをオフにすることができ、したがって、装着後、電源をオンする場合に、駆動装置をデバッグするのに十分な電力を有するので、駆動装置の正常動作を保証することができ、また、電源をオフする場合に、輸送時、電力が爆発する危険性が少なくなり、安全性が向上することを実現できる。
【００１０】
また、前記本体１の中央部には、カーテン取付部材を連結するための連結部４が挿入されている。連結部４は、着脱可能な部材であり、装着された場合に、異なる種類のカーテンの取付部品に適応でき、汎用性が優れている。前記回路基板２には、前記連結部４が貫通する貫通孔５が設けられている。また、前記連結部４には取付部品を挿入するための連結溝６が形成されている。また、前記本体１には連結部４を係止するためのカバー７が設けられ、当該カバー７は、ねじで本体１に固定されている。前記カバー７には前記連結溝６と連通する中央孔８が設けられている。当該連結部４には、カバー７を嵌め込んで連結部４を本体１に係止するように、連結溝６の周方向に沿って段差面が設けられている。また、前記回路基板２にリモコン信号を受信するためのアンテナ９が配置され、前記アンテナ９は本体１に内蔵されている。一般に、既存のアンテナは外観に影響を与えるだけでなくカーテンの開閉にも影響を与える外部構造を採用し、本実用新案のアンテナ９が本体内に隠された内蔵構造であり、したがって、全体の構造はより簡潔で、きちんとしている。
【００１１】
また、前記回路基板２にはさらに、表示灯１０、設定キー１１、充電インターフェース１２、ケーブルインターフェース１３が設置されている。表示灯１０は、制御装置が作動していることを人に認識させるように、ライトをライトガイドコラム１６を通じて本体１から導く。前記本体１には、インジケータライト１０の対応する位置に光透過孔１４が設けられている。設定キー１１は、駆動装置の手動デバッグを容易にすることができる。本体１の設定キー１１に対応する位置にはボタン１５が配置されている。充電インターフェース１２は、パワーパックを充電するように充電ラインに接続することができる。ケーブルインタフェース１３は、ケーブルを差し込むためのものである。
【００１２】
使用時には、電源スイッチ３、アンテナ９、表示灯１０、設定ボタン１１、充電インターフェース１２およびケーブルインターフェース１３を備えた回路基板２が本体１に装着し、次に、連結部４を本体１に挿入し、さらに、カバー７を連結部４に埋め込んで、ねじで本体１に固定する。図3に示すように、組み立てられた移動ヘッドはチューブ状のトラベルヘッドに挿入されて駆動装置を構成する。
【００１３】
ここで、チューブ状の駆動ユニット内の制御ユニットはケーブルを介して回路基板２に接続され、チューブ状の駆動ユニットのパワーパックは制御ユニットに電気的に接続され、電源スイッチ３は電源をオン／オフすることが可能である。駆動装置が格納されると、電源スイッチ３がオフにされ、電力パッケージの電力を節約することができる。駆動装置がカーテンに組み付けられた後、電源スイッチ３がオンにされ、アンテナ９がリモコン信号を受信し、且つ当該信号を制御ユニットにフィードバックし、制御ユニットは、カーテンの開閉を実現するために、モータが動作するように制御する。
【００１４】
最後に、説明することは、上記の実施形態が、本実用新案の技術案を例示するために使用されているだけであり、それに限定されないであり、本実用新案を上記の実施形態を参照して詳細に説明したが、当業者は、上記の実施形態に記載された技術案を変更するか、または一部の技術構成を等しく置き換えることができ、且つこのような変更および置き換えは、本実用新案の実施形態の技術案の構想および技術範囲から逸脱しないことを理解すべきである。
【符号の説明】
【００１５】
１  本体
２  回路基板
３  電源スイッチ
４  連結部
５  スルーホール
６  連結溝
７  カバー
８  中心孔
９  アンテナ
１０  表示灯
１１  設定キー
１２  充電インタフェース  
１３  ケーブルインターフェイス
１４  ライトホール
１５  ボタン
１６  ライトガイド
【図１】
0003223336.tif 000003
【図２】
0003223336.tif 000004
【図３】
0003223336.tif 000005